【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
ワイドエリア無線アクセスネットワーク（ＲＡＮ）の第１の基地局（ＢＳ）によるワイヤレス通信のための方法であって、
ワイヤレスローカルエリアネットワーク（ＷＬＡＮ）の前記第１のＢＳによっておよび第２のＢＳによってサービスされるユーザ機器（ＵＥ）が、無線アクセスネットワーク（ＲＡＮ）アグリゲーションに参加可能であると決定することと、
前記ワイドエリアＲＡＮのみを介して、または前記ワイドエリアＲＡＮおよび前記ＷＬＡＮの両方を同時に介して、１つまたは複数のパケットデータネットワーク（ＰＤＮ）接続をアクティブに維持する間に、前記第１のＢＳと、前記第２のＢＳまたはＷＬＡＮの別のＢＳのうちの少なくとも１つとの前記１つまたは複数のＰＤＮ接続の１つまたは複数のベアラの前記ＵＥのためのＲＡＮアグリゲーションをアクティブ化することと、ここにおいて、ＲＡＮアグリゲーションをアクティブ化することは、前記ＵＥが前記第２のＢＳにアクセスするために現在使用しているネットワーク識別子とは異なるネットワーク識別子を使用して前記第２のＢＳにアクセスすることを前記ＵＥにさせることを備える、
を備える、方法。
【請求項２】
前記決定は、前記ＵＥから受信された指示に基づく、請求項１に記載の方法。
【請求項３】
前記決定は、前記第２のＢＳから受信された指示に基づく、請求項１に記載の方法。
【請求項４】
前記ＵＥは、一度に単一のＷＬＡＮ ＢＳのみと接続可能である、請求項１に記載の方法。
【請求項５】
ＲＡＮアグリゲーションをアクティブ化することは、ＷＬＡＮの別のＢＳにアクセスすることを前記ＵＥにさせることを備える、請求項１に記載の方法。
【請求項６】
前記ＵＥが接続された前記ＷＬＡＮの前記第２のＢＳのアイデンティティ、または利用可能なＷＬＡＮの前記ＢＳのリストを、前記ＵＥから受信することをさらに備える、請求項１に記載の方法。
【請求項７】
ＷＬＡＮの１つまたは複数のＢＳに接続されたＵＥのリストを、定期的にまたはリクエストに応じて、前記ＷＬＡＮの前記第２のＢＳから受信することをさらに備える、請求項１に記載の方法。
【請求項８】
前記ＵＥのアイデンティティを、前記ＷＬＡＮの前記第２のＢＳから受信することをさらに備える、請求項１に記載の方法。
【請求項９】
ユーザ機器（ＵＥ）によるワイヤレス通信のための方法であって、
ワイヤレスローカルエリアネットワーク（ＷＬＡＮ）の第１の基地局（ＢＳ）、およびワイドエリア無線アクセスネットワーク（ＲＡＮ）の第２のＢＳによってサービスされている間に、１つまたは複数のパケットデータネットワーク（ＰＤＮ）接続に属する１つまたは複数のベアラのＲＡＮアグリゲーションを開始するための指示を受信することと、
前記ワイドエリアＲＡＮのみを介して、または前記ワイドエリアＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと、ここにおいて、動作をすることは、前記ＵＥが前記第１のＢＳにアクセスするために現在使用しているものとは異なるネットワーク識別子を使用して前記第１のＢＳにアクセスすることを備える、
を備える、方法。
【請求項１０】
動作をすることは、前記第１のＢＳによってサービスされる１つまたは複数のＳ２ａおよびＳ２ｂ接続を切断せずに、前記第１のＢＳから切断することを備える、請求項９に記載の方法。
【請求項１１】
動作をすることは、ＷＬＡＮの第３のＢＳに接続することを備える、請求項９に記載の方法。
【請求項１２】
動作をすることはさらに、前記第１のＢＳから切断することを備える、請求項１１に記載の方法。
【請求項１３】
動作をすることはさらに、インターネットプロトコル（ＩＰ）フローモビリティ（ＩＦＯＭ）シグナリングを行うことを備える、請求項１１に記載の方法。
【請求項１４】
ワイドエリア無線アクセスネットワーク（ＲＡＮ）の第１の基地局（ＢＳ）であって、
少なくとも１つのアンテナと、
ワイヤレスローカルエリアネットワーク（ＷＬＡＮ）の前記第１のＢＳによっておよび第２のＢＳによってサービスされるユーザ機器（ＵＥ）が、無線アクセスネットワーク（ＲＡＮ）アグリゲーションに参加可能であると決定することと、
前記ワイドエリアＲＡＮのみを介して、または前記ワイドエリアＲＡＮおよび前記ＷＬＡＮの両方を同時に介して、１つまたは複数のパケットデータネットワーク（ＰＤＮ）接続をアクティブに維持する間に、前記第１のＢＳと、前記第２のＢＳまたはＷＬＡＮの別のＢＳのうちの少なくとも１つとの前記１つまたは複数のＰＤＮ接続の１つまたは複数のベアラの前記ＵＥのためのＲＡＮアグリゲーションをアクティブ化することと、ここにおいて、ＲＡＮアグリゲーションをアクティブ化することは、前記ＵＥが前記第２のＢＳにアクセスするために現在使用しているネットワーク識別子とは異なるネットワーク識別子を使用して前記第２のＢＳにアクセスすることを前記ＵＥにさせることを備える、
をするように構成される少なくとも１つのプロセッサと、
を備える、第１のＢＳ。
【請求項１５】
ユーザ機器（ＵＥ）であって、
少なくとも１つのアンテナと、
ワイヤレスローカルエリアネットワーク（ＷＬＡＮ）の第１の基地局（ＢＳ）、およびワイドエリア無線アクセスネットワーク（ＲＡＮ）の第２のＢＳによってサービスされている間に、１つまたは複数のパケットデータネットワーク（ＰＤＮ）接続に属する１つまたは複数のベアラのＲＡＮアグリゲーションを開始するための指示を受信することと、
前記ワイドエリアＲＡＮのみを介して、または前記ワイドエリアＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと、ここにおいて、動作をすることは、前記ＵＥが前記第１のＢＳにアクセスするために現在使用しているものとは異なるネットワーク識別子を使用して前記第１のＢＳにアクセスすることを備える、
をするように構成される、少なくとも１つまたは複数のプロセッサと
を備える、ＵＥ。
【手続補正２】
【補正対象書類名】明細書
【補正対象項目名】０１０４
【補正方法】変更
【補正の内容】
【０１０４】
[0118]  前述の内容は、本開示の態様に向けられているが、本開示の他の態様およびさらなる態様が、その基本的な範囲から逸脱することなく考案され得、その範囲は、下記の請求項によって決定される。
以下に、本願の出願当初の特許請求の範囲に記載された発明を付記する。
［Ｃ１］
ワイドエリア無線アクセスネットワーク（ＲＡＮ）の第１の基地局（ＢＳ）によるワイヤレス通信のための方法であって、
ワイヤレスローカルエリアネットワーク（ＷＬＡＮ）の前記第１のＢＳによっておよび第２のＢＳによってサービスされるユーザ機器（ＵＥ）が、無線アクセスネットワーク（ＲＡＮ）アグリゲーションに参加可能であると決定することと、
前記ＲＡＮのみを介して、または前記ＲＡＮおよび前記ＷＬＡＮの両方を同時に介して、前記１つまたは複数のパケットデータネットワーク（ＰＤＮ）接続をアクティブに維持する間に、前記第１のＢＳと、前記第２のＢＳまたはＷＬＡＮの別のＢＳのうちの少なくとも１つとの１つまたは複数のＰＤＮ接続の１つまたは複数のベアラの前記ＵＥのためのＲＡＮアグリゲーションをアクティブ化することと、
を備える、方法。
［Ｃ２］
前記決定は、前記ＵＥから受信された指示に基づく、Ｃ１に記載の方法。
［Ｃ３］
前記決定は、前記第２のＢＳから受信された指示に基づく、Ｃ１に記載の方法。
［Ｃ４］
前記ＵＥは、一度に単一のＷＬＡＮ ＢＳのみと接続可能である、Ｃ１に記載の方法。
［Ｃ５］
ＲＡＮアグリゲーションをアクティブ化することは、前記ＵＥが前記第２のＢＳにアクセスするために現在使用しているネットワーク識別子とは異なるネットワーク識別子を使用して前記第２のＢＳにアクセスすることを前記ＵＥにさせることを備える、Ｃ１に記載の方法。
［Ｃ６］
ＲＡＮアグリゲーションをアクティブ化することは、ＷＬＡＮの別のＢＳにアクセスすることを前記ＵＥにさせることを備える、Ｃ１に記載の方法。
［Ｃ７］
前記ＵＥが接続された前記ＷＬＡＮの前記第２のＢＳのアイデンティティ、または利用可能なＷＬＡＮの前記ＢＳのリストを、前記ＵＥから受信することをさらに備える、Ｃ１に記載の方法。
［Ｃ８］
ＷＬＡＮの１つまたは複数のＢＳに接続されたＵＥのリストを、定期的にまたはリクエストに応じて、前記ＷＬＡＮの前記第２のＢＳから受信することをさらに備える、Ｃ１に記載の方法。
［Ｃ９］
前記ＵＥのアイデンティティを、前記ＷＬＡＮの前記第２のＢＳから受信することをさらに備える、Ｃ１に記載の方法。
［Ｃ１０］
ユーザ機器（ＵＥ）によるワイヤレス通信のための方法であって、
ワイヤレスローカルエリアネットワーク（ＷＬＡＮ）の第１の基地局（ＢＳ）、および無線アクセスネットワーク（ＲＡＮ）の第２の基地局によってサービスされている間に、１つまたは複数のパケットデータネットワーク（ＰＤＮ）接続に属する１つまたは複数のベアラのＲＡＮアグリゲーションを開始するための指示を受信することと、
前記ＲＡＮのみを介して、または前記ＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと
を備える、方法。
［Ｃ１１］
動作をすることは、前記第１のＢＳによってサービスされる１つまたは複数のＳ２ａおよびＳ２ｂ接続を切断せずに、前記第１のＢＳから切断することを備える、Ｃ１０に記載の方法。
［Ｃ１２］
動作をすることは、前記ＵＥが前記第１のＢＳにアクセスするために現在使用しているものとは異なるネットワーク識別子を使用して前記第１のＢＳにアクセスすることを備える、Ｃ１０に記載の方法。
［Ｃ１３］
動作をすることは、ＷＬＡＮの第３のＢＳに接続することを備える、Ｃ１０に記載の方法。
［Ｃ１４］
動作をすることはさらに、前記第１のＢＳから切断することを備える、Ｃ１３に記載の方法。
［Ｃ１５］
動作をすることはさらに、インターネットプロトコル（ＩＰ）フローモビリティ（ＩＦＯＭ）シグナリングを行うことを備える、Ｃ１３に記載の方法。
［Ｃ１６］
ワイドエリア無線アクセスネットワーク（ＲＡＮ）の第１の基地局（ＢＳ）であって、
少なくとも１つのアンテナと、
ワイヤレスローカルエリアネットワーク（ＷＬＡＮ）の前記第１のＢＳによっておよび第２のＢＳによってサービスされるユーザ機器（ＵＥ）が、無線アクセスネットワーク（ＲＡＮ）アグリゲーションに参加可能であると決定することと、
前記ＲＡＮのみを介して、または前記ＲＡＮおよび前記ＷＬＡＮの両方を同時に介して、前記１つまたは複数のパケットデータネットワーク（ＰＤＮ）接続をアクティブに維持する間に、前記第１のＢＳと、前記第２のＢＳまたはＷＬＡＮの別のＢＳのうちの少なくとも１つとの１つまたは複数のＰＤＮ接続の１つまたは複数のベアラの前記ＵＥのためのＲＡＮアグリゲーションをアクティブ化することと、
をするように構成される少なくとも１つのプロセッサと、
を備える、第１のＢＳ。
［Ｃ１７］
前記決定は、前記少なくとも１つのアンテナを介して前記ＵＥから受信された指示に基づく、Ｃ１６に記載の第１のＢＳ。
［Ｃ１８］
少なくとも１つの有線ネットワークインターフェースをさらに備え、ここにおいて、前記決定は、前記少なくとも１つのアンテナまたは前記少なくとも１つの有線ネットワークインターフェースを介して前記第２のＢＳから受信された指示に基づく、Ｃ１６に記載の第１のＢＳ。
［Ｃ１９］
前記ＵＥは、一度に単一のＷＬＡＮ ＢＳのみと接続可能である、Ｃ１６に記載の第１のＢＳ。
［Ｃ２０］
ＲＡＮアグリゲーションをアクティブ化することは、前記ＵＥが前記第２のＢＳにアクセスするために現在使用しているネットワーク識別子とは異なるネットワーク識別子を使用して前記第２のＢＳにアクセスすることを前記ＵＥにさせることを備える、Ｃ１６に記載の第１のＢＳ。
［Ｃ２１］
ＲＡＮアグリゲーションをアクティブ化することは、ＷＬＡＮの別のＢＳにアクセスすることを前記ＵＥにさせることを備える、Ｃ１６に記載の第１のＢＳ。
［Ｃ２２］
前記少なくとも１つのプロセッサはさらに、前記ＵＥが接続される前記ＷＬＡＮの前記第２のＢＳのアイデンティティ、または利用可能なＷＬＡＮの前記ＢＳのリストを、前記少なくとも１つのアンテナを介して前記ＵＥから受信するように構成される、Ｃ１６に記載の第１のＢＳ。
［Ｃ２３］
少なくとも１つの有線ネットワークインターフェースをさらに備え、前記少なくとも１つのプロセッサはさらに、ＷＬＡＮの１つまたは複数のＢＳに接続されたＵＥのリストを、前記少なくとも１つのアンテナまたは前記少なくとも１つの有線ネットワークインターフェースを介して、定期的にまたはリクエストに応じて、前記ＷＬＡＮの前記第２のＢＳから受信するように構成される、Ｃ１６に記載の第１のＢＳ。
［Ｃ２４］
少なくとも１つの有線ネットワークインターフェースをさらに備え、ここにおいて、前記少なくとも１つのプロセッサはさらに、前記少なくとも１つのアンテナまたは前記少なくとも１つの有線ネットワークインターフェースを介して、前記ＵＥのアイデンティティを、前記ＷＬＡＮの前記第２のＢＳから受信するように構成される、Ｃ１６に記載の第１のＢＳ。
［Ｃ２５］
ユーザ機器（ＵＥ）であって、
少なくとも１つのアンテナと、
ワイヤレスローカルエリアネットワーク（ＷＬＡＮ）の第１の基地局（ＢＳ）、および無線アクセスネットワーク（ＲＡＮ）の第２の基地局によってサービスされている間に、１つまたは複数のパケットデータネットワーク（ＰＤＮ）接続に属する１つまたは複数のベアラのＲＡＮアグリゲーションを開始するための指示を受信することと、
前記ＲＡＮのみを介して、または前記ＲＡＮおよび前記ＷＬＡＮの両方を同時に介して、前記１つまたは複数のＰＤＮ接続をアクティブに維持する間に、１つまたは複数のＰＤＮ接続に属する前記１つまたは複数のベアラのＲＡＮアグリゲーションを行うための動作をすることと
をするように構成される、少なくとも１つまたは複数のプロセッサと
を備える、ＵＥ。
［Ｃ２６］
動作をすることは、前記第１のＢＳによってサービスされる１つまたは複数のＳ２ａおよびＳ２ｂ接続を切断せずに、前記第１のＢＳから切断することを備える、Ｃ２５に記載のＵＥ。
［Ｃ２７］
動作をすることは、前記ＵＥが前記第１のＢＳにアクセスするために現在使用しているものとは異なるネットワーク識別子を使用して前記第１のＢＳにアクセスすることを備える、Ｃ２５に記載のＵＥ。
［Ｃ２８］
動作をすることは、ＷＬＡＮの第３のＢＳに接続することを備える、Ｃ２５に記載のＵＥ。
［Ｃ２９］
動作をすることはさらに、前記第１のＢＳから切断することを備える、Ｃ２８に記載のＵＥ。
［Ｃ３０］
動作をすることはさらに、インターネットプロトコル（ＩＰ）フローモビリティ（ＩＦＯＭ）シグナリングを行うことを備える、Ｃ２８に記載のＵＥ。